(57)【要約】【課題】ソケットに対する挿入片の挿入荷重の軽減、および挿入後のクランプ部のロック保持を可能とし、かつ、ケーブルが配線される相手部材の表面に対するケーブル把持位置の飛び出し量を抑える。【解決手段】所定のケーブルを把持するためのクランプ部１０と、このケーブルが配線される相手部材の取付け孔に差し込まれる脚部３０とを備えたケーブル用クリップであって、クランプ部１０は、ソケット２０と、このソケットに対して脚部３０の軸線に交差する方向から挿入可能な挿入片４０とを有する。この挿入片のフック４２がソケット内のロック爪２４に係合して、クランプ部１０がケーブルを把持した状態でロックされる。そして、ソケットの内部において、ロック爪２４に対向する側で挿入片４０の挿入を案内する内壁面２６が、挿入片およびフック４２の通過が可能で、かつ、挿入片のフックがロック爪２４に係合した状態を保持する形状に設定されている。【選択図】図２
2009131031.tif 000002
【特許請求の範囲】
【請求項１】
所定のケーブルを把持することが可能なクランプ部と、このケーブルが配線される相手部材の取付け孔に差し込むことで、クランプ部を相手部材に取り付けることが可能な脚部とを備えたケーブル用クリップであって、
クランプ部は、脚部の基部側に位置するソケットと、このソケットに対して脚部の軸線に交差する方向から挿入可能な挿入片とを有し、ソケットに挿入された挿入片のフックがソケット内のロック爪に係合して、クランプ部がケーブルを把持した状態でロックされるように構成されており、ソケットの内部において、ロック爪に対向する側で挿入片の挿入を案内する内壁面が、挿入片およびフックの通過が可能で、かつ、挿入片のフックがロック爪に係合した状態を保持する形状に設定されているケーブル用クリップ。
【請求項２】
請求項１に記載されたケーブル用クリップであって、
ソケットの内壁面は、ソケットに挿入片を挿入するときに、フックがロック爪に係合する直前までは、挿入片を撓ませながら、かつ、ソケットに対して傾けた状態で案内する斜面と、フックがロック爪に係合した状態の挿入片に対し、この係合状態を保持するための干渉が可能な規制面とを有するケーブル用クリップ。
【発明の詳細な説明】
【技術分野】
【０００１】
本発明は、主として車両用のケーブル用クリップに関し、特に電線などのケーブルを把持して、このケーブルが配線される相手部材に取り付けることが可能なケーブル用クリップに関する。
【背景技術】
【０００２】
この種のクリップとしては、例えば特許文献１に開示された技術が既に知られている。この技術では、電線などのケーブルを把持することが可能なクランプ部と、ケーブルが配線される車体などの相手部材の取付け孔に差し込むことが可能な脚部とを備えている。そして、クランプ部は、ソケットに挿入片を挿入することにより、ケーブルを把持した状態でロックされるようになっている。ソケットの内側には、挿入片の先端部に形成されたフックと係合するロック爪が形成されているとともに、このロック爪に対向する側の壁は挿入片に干渉してフックとロック爪との係合状態を保持するようになっている。つまり、この壁はソケットに対する挿入片の挿入によって退避側へ撓み、挿入片の挿入荷重を低く保つようになっている。
【特許文献１】特開２００６−６４００１号公報
【発明の開示】
【発明が解決しようとする課題】
【０００３】
上記の特許文献１に開示されているクリップは、クランプ部のソケットが脚部の側部に位置し、このソケットに対して脚部の軸線と平行に挿入片が挿入される形式である。これに対し、ソケットが脚部の基部側に位置し、ソケットに対して脚部の軸線に交差する方向から挿入片が挿入される形式のクリップにおいては、つぎのような課題がある。
すなわち、ソケットの内部において、ロック爪と対向する側の壁を設け、かつ、この壁が撓むためのスペースを確保する必要がある。このため、ソケットの厚みが大きくなり、ケーブルが配線される相手部材の表面からケーブルの把持位置が大きく飛び出した状態になる。したがって、ケーブルの配線箇所によっては、クランプ部が他の部材に干渉して不具合を招く場合がある。
【０００４】
本発明は、このような課題を解決しようとするもので、その目的は、ソケットに対する挿入片の挿入荷重の軽減、および挿入後のクランプ部のロック保持を可能とし、かつ、ケーブルが配線される相手部材の表面に対するケーブル把持位置の飛び出し量を抑えることである。
【課題を解決するための手段】
【０００５】
本発明は、上記の目的を達成するためのもので、以下のように構成されている。
第１の発明は、所定のケーブルを把持することが可能なクランプ部と、このケーブルが配線される相手部材の取付け孔に差し込むことで、クランプ部を相手部材に取り付けることが可能な脚部とを備えたケーブル用クリップであって、クランプ部は、脚部の基部側に位置するソケットと、このソケットに対して脚部の軸線に交差する方向から挿入可能な挿入片とを有し、ソケットに挿入された挿入片のフックがソケット内のロック爪に係合して、クランプ部がケーブルを把持した状態でロックされるように構成されている。また、ソケットの内部において、ロック爪に対向する側で挿入片の挿入を案内する内壁面が、挿入片およびフックの通過が可能で、かつ、挿入片のフックがロック爪に係合した状態を保持する形状に設定されている。
【０００６】
このように、ソケットにおける内壁面の形状によってソケットに対する挿入片の挿入荷重の軽減、および挿入後のクランプ部のロック保持を可能としたことにより、これまで挿入片のフックとソケット内のロック爪との係合を保持するために必要とされていたソケット内の撓み壁を廃止することができる。この結果、クランプ部におけるソケットの厚み、すなわち脚部の基部からケーブルの把持点までの寸法が小さくなり、ケーブルが配線される相手部材の表面に対するケーブル把持位置の飛び出し量を抑えることができる。
【０００７】
第２の発明は、第１の発明において、ソケットの内壁面が、ソケットに挿入片を挿入するときに、フックがロック爪に係合する直前までは、挿入片を撓ませながら、かつ、ソケットに対して傾けた状態で案内する斜面と、フックがロック爪に係合した状態の挿入片に対し、この係合状態を保持するための干渉が可能な規制面とを有する。
このように、ソケットの内壁面が斜面と規制面とを有することにより、このソケットに対する挿入片の挿入荷重は低く抑えられるとともに、フックとロック爪との係合状態は適正に保持される。
【発明を実施するための最良の形態】
【０００８】
以下、本発明を実施するための最良の形態を、図面を用いて説明する。
図１はケーブル用クリップを表した斜視図、図２は同じくケーブル用クリップを表した断面図である。これらの図面で示されているクリップは、樹脂による一体成形品である。このクリップは、例えば車両用シートにおけるシートクッション内のクッションフレームに沿って配線されるケーブルＣ（電線）を、このクッションフレームに取付けるために使用される。したがって、このクリップの構造は、ケーブルＣを把持するためのクランプ部１０と、このクランプ部１０をケーブルＣが配線される相手部材５０（クッションフレーム）に留めるための脚部３０とに大別される。
なお、ケーブルＣおよび相手部材５０については、図５において仮想線でそれぞれ示されている。
【０００９】
クランプ部１０は、ケーブルＣを載せてセットする受承部分１２と、そのケーブルＣを受承部分１２と共に挟み付けるように把持する押え部分１４とを有する。これらの受承部分１２と押え部分１４とは、弾性変形可能な薄肉のヒンジ１６によって互いに結合されている。このヒンジ１６の変形を利用することで、受承部分１２に押え部分１４を被せ付けてケーブルＣを把持することができる。
受承部分１２および押え部分１４には、共にケーブルＣの外周面を受け入れる凹部１２ａ，１４ａがあり、これらの両凹部１２ａ，１４ａにはクランプ部１０の幅方向に所定の間隔をもって複数個のリブ１２ｂ，１４ｂがそれぞれ設けられている（図１）。これらの各リブ１２ｂ，１４ｂは、クランプ部１０によってケーブルＣを把持したときに、このケーブルＣの外周に食い込み、ケーブルＣが長さ方向へずれ動くのを阻止する。
【００１０】
クランプ部１０の受承部分１２は、ヒンジ１６の反対側においてソケット２０を有する。このソケット２０は、脚部３０の基部側に隣接して位置している。言い換えると、ソケット２０はクランプ部１０の受承部分１２と脚部３０との間に位置している。そして、ソケット２０の内部は、脚部３０の軸線に対して直角に交差する方向へ貫通した開口部２２になっている。この開口部２２の内壁面には、ロック爪２４が設けられている。
クランプ部１０の押え部分１４は、ヒンジ１６の反対側においてソケット２０に挿入可能な挿入片４０を有する。この挿入片４０は、前述したようにヒンジ１６の変形を利用して受承部分１２に押え部分１４を被せたときに、ソケット２０の開口部２２に挿入される。また、挿入片４０の先端にはフック４２が形成されている。このフック４２は、挿入片４０がソケット２０の開口部２２に挿入されたときに、該開口部２２のロック爪２４に係合することが可能である。このようにロック爪２４とフック４２とが係合することにより、クランプ部１０が前述のようにケーブルＣを把持した状態でロックされる。
【００１１】
ソケット２０の開口部２２には、挿入片４０の挿入方向に関するロック爪２４の手前側においてガイド面２２ａが設けられている。このガイド面２２ａは、開口部２２の入口を広げるように傾斜しており、この開口部２２に対する挿入片４０の挿入を円滑に案内するように機能する。
同じく開口部２２において、ロック爪２４およびガイド面２２ａに対向する側の内壁面２６は、ガイド面２２ａとほぼ平行に傾斜した斜面２６ａと、この斜面２６ａよりも開口部２２の入口側に位置する平坦な規制面２６ｂとを有する。すなわち、内壁面２６の斜面２６ａは、ガイド面２２ａと同じ方向に傾斜しており、それによって開口部２２に挿入される挿入片４０を傾けた状態で案内するようになっている。また、内壁面２６の規制面２６ｂは、ガイド面２２ａに対して平坦面で対向している。
【００１２】
クリップの脚部３０は一対の弾性片３２を有し（図１）、その基部側（ソケット２０側）には皿形状のスタビライザー３４が設けられている。この脚部３０を相手部材５０の取付け孔５２に差し込むことにより、一対の弾性片３２が弾性によって撓みながら取付け孔５２を通過し、この取付け孔５２の縁にそれぞれ係合する。このとき、スタビライザー３４は相手部材５０の表面に押し付けられて変形し、クランプ部１０を相手部材５０に対して安定した状態で取付けることができる。
【００１３】
つづいて、ケーブル用クリップの使用について説明する。
まず、クランプ部１０における受承部分１２の凹部１２ａに、ケーブルＣの外周面の一部を嵌め込むようにセットする。つぎに、前述したようにヒンジ１６の変形を利用して押え部分１４を受承部分１２に被せることにより、ケーブルＣの残りの外周面が受承部分１２の凹部１２ａで拘束される。そして、これと並行して挿入片４０がソケット２０の開口部２２に挿入される。
【００１４】
ここで、ソケット２０の開口部２２に対して挿入片４０が挿入されていく様子について説明すると、図３で示す挿入の初期においては挿入片４０が傾いた状態で挿入され、その先端部（フック４２）が開口部２２のガイド面２２ａに沿って案内されながら進行する。その後も挿入片４０は傾いたままで挿入され、図４で示すように挿入片４０自体が、開口部２２における内壁面２６の斜面２６ａに沿って案内される。このとき、挿入片４０はその弾性によって僅かに撓みながら進行を続ける。
そして、挿入片４０が図４で示す挿入位置を過ぎると、この挿入片４０の先端部がガイド面２２ａを通過する。これにより、図５で示すように挿入片４０の傾きがなくなり、該挿入片４０がソケット２０に対して真っ直ぐになり、開口部２２のロック爪２４に挿入片４０のフック４２が係合する。この結果、クランプ部１０がケーブルＣを把持した状態でロックされる。
【００１５】
図５で示すクランプ部１０のロック状態においては、開口部２２における内壁面２６の規制面２６ｂが、挿入片４０に対して僅かなクリアランスを隔てて対向している。このクリアランスは、ロック爪２４とフック４２との係合代よりも小さい寸法に設定されている。したがって、規制面２６ｂが挿入片４０に干渉することにより、ロック爪２４とフック４２との係合が保持され、クランプ部１０のロック状態が適正に維持される。
この後、前述したようにクリップの脚部３０を相手部材５０の取付け孔５２に差し込むことにより、クランプ部１０が相手部材５０に取付けられる。したがって、ケーブルＣが相手部材５０に対して配線された状態に保持される。
【００１６】
このように、本実施の形態におけるクランプ部１０においては、これまでソケット２０内に設けられていた「撓み壁」を廃止することができる。この「撓み壁」を必要としていた理由は、クランプ部１０のロック状態においては挿入片４０に干渉してロック爪２４とフック４２との係合を保持し、挿入片４０の挿入時には撓むことで挿入荷重を軽減することである。
しかし、本実施の形態では、内壁面２６の形状によってソケット２０に対する挿入片４０の挿入荷重の軽減、および挿入後のクランプ部１０のロック保持を可能とすることで、「撓み壁」およびその撓みスペースをソケット２０から廃止することができた。この結果、ソケット２０の厚みが小さくなり、相手部材５０の表面からクランプ部１０によるケーブルＣの中心点までの寸法Ｌが小さくなる（図５）。つまり、相手部材５０からのクランプ部１０の飛び出し量を抑えることができ、このクリップによってシートクッション内に配線されるケーブルＣを留めた場合、クランプ部１０がシート着座者に違和感を与えることが解消される。
【図面の簡単な説明】
【００１７】
【図１】ケーブル用クリップを表した斜視図。
【図２】ケーブル用クリップを表した断面図。
【図３】ソケットに対する挿入片の挿入開始時のケーブル用クリップを表した断面図。
【図４】ソケットに対する挿入片の挿入途中のケーブル用クリップを表した断面図。
【図５】ソケットに対する挿入片の挿入完了時のケーブル用クリップを表した断面図。
【符号の説明】
【００１８】
１０ クランプ部
２０ ソケット
２４ ロック爪
２６ 内壁面
３０ 脚部
４０ 挿入片
４２ フック
５０ 相手部材
５２ 取付け孔
Ｃ   ケーブル
【図１】
2009131031.tif 000003
【図２】
2009131031.tif 000004
【図３】
2009131031.tif 000005
【図４】
2009131031.tif 000006
【図５】
2009131031.tif 000007